(57)【特許請求の範囲】
【請求項１】
乗りかごの動作不良を検知して事後的に確認するための異常検知部を有するエレベータ乗りかごの異常確認システムであって、
前記乗りかご内を撮影する監視カメラと、
前記監視カメラの撮影画像を記憶する記憶部と、
前記撮影画像を表示する表示部と、
前記異常検知部が異常を検知したときにおける所定時間幅の前記監視カメラの撮影画像を保守時に前記表示部に表示させる制御部と、を備えており、
前記制御部は、前記表示部に２つの点検ボタンを表示することができ、
一方の点検ボタンは、エレベータ乗りかごの遠隔監視を行う情報センターに異常を伝達する発報信号を発信した日時と発報原因とを示すデータを一覧表示させるためのものであり、
他方の点検ボタンは、前記異常検知部で検知した異常の中で前記情報センターに発報信号が送信されていない場合の異常信号の受信日時および異常発生箇所を表示させるものである、エレベータ乗りかごの異常確認システム。
【請求項２】
請求項１に記載のエレベータ乗りかごの異常確認システムにおいて、
前記所定時間幅は、前記異常検知部が異常を検知した時点よりも時間的に遡った時点における前記監視カメラの撮影画像を含むように設定されている、エレベータ乗りかごの異常確認システム。
【請求項３】
請求項１または２に記載のエレベータ乗りかごの異常確認システムにおいて、
前記記憶部は、記憶済みの前記撮影画像の画像データのうち撮影から所定期間が経過した前記撮影画像の画像データに新たに撮影される前記撮影画像の画像データを上書きして記憶し、
前記制御部は、異常を検知したときにおける前記所定時間幅の前記監視カメラの撮影画像に対する上書きを禁止する、エレベータ乗りかごの異常確認システム。
【発明の詳細な説明】
【技術分野】
【０００１】
本発明は、エレベータ乗りかごの異常を確認するシステム、特に乗りかごの動作不良を検知して事後的に確認するためのエレベータ乗りかごの異常確認システムに関する。
【背景技術】
【０００２】
通常、エレベータ乗りかごの動作不良が検知されると、その動作不良を検知した際の運行状況に関するトレースデータが機械室等に設置されている制御盤に記録され、保守点検作業時にはこのトレースデータを参照してエレベータの故障有無が判断される。
【０００３】
例えば、特許文献１には、機械室に設置された制御盤からエレベータの故障発生時のトレースデータを読み出して自動運転阻害要因信号チェックリストを作成して故障原因を究明する技術が開示されている。
【先行技術文献】
【特許文献】
【０００４】
【特許文献１】特開２００２−３６２８４６号公報
【発明の概要】
【発明が解決しようとする課題】
【０００５】
しかしながら、上記従来のトレースデータを用いたエレベータにおける故障有無の判断方法では、例えば、利用者が乗降扉に台車を挟んだ場合等、人為的動作に起因して異常検知された場合を判別することが困難である。このため、エレベータの故障によらない人為的動作に起因する異常検知の場合でも検知箇所の点検作業を行う必要が生じ、保守点検作業に手間がかかるという問題がある。
【０００６】
そこで、本発明の目的は、乗りかご内の画像を確認することによって異常検知の原因が人為的な動作によるものか否かの判断を行い易くし、保守点検作業の手間を少なくすることができるエレベータ乗りかごの異常確認システムを提供することにある。
【課題を解決するための手段】
【０００７】
本発明に係るエレベータ乗りかごの異常確認システムは、乗りかごの動作不良を検知して事後的に確認するための異常検知部を有するエレベータ乗りかごの異常確認システムであって、乗りかご内を撮影する監視カメラと、監視カメラの撮影画像を記憶する記憶部と、撮影画像を表示する表示部と、異常検知部が異常を検知したときにおける所定時間幅の監視カメラの撮影画像を保守時に表示部に表示させる制御部と、を備えており、制御部は、表示部に２つの点検ボタンを表示することができ、一方の点検ボタンは、エレベータ乗りかごの遠隔監視を行う情報センターに異常を伝達する発報信号を発信した日時と発報原因とを示すデータを一覧表示させるためのものであり、他方の点検ボタンは、異常検知部で検知した異常の中で情報センターに発報信号が送信されていない場合の異常信号の受信日時および異常発生箇所を表示させるものである。
【０００８】
本発明に係るエレベータ乗りかごの異常確認システムにおいて、所定時間幅は、異常検知部が異常を検知した時点よりも時間的に遡った時点における監視カメラの撮影画像を含むように設定されていることが好適である。
【０００９】
また、本発明に係るエレベータ乗りかごの異常確認システムにおいて、記憶部は、記憶済みの撮影画像の画像データのうち撮影から所定期間が経過した撮影画像の画像データに新たに撮影される撮影画像の画像データを上書きして記憶し、制御部は、異常を検知したときにおける所定時間幅の監視カメラの撮影画像に対する上書きを禁止することが好適である。
【発明の効果】
【００１０】
本発明に係るエレベータ乗りかごの異常確認システムによれば、保守時に異常検知時の監視カメラの画像を表示させて乗りかご内の状態を容易に確認することができ、異常検知の原因が人為的な動作によるものか否かの判断を行い易くできる。このため、保守点検作業の手間を少なくすることができる。
【図面の簡単な説明】
【００１１】
【図１】本発明に係る実施の形態であるエレベータ乗りかごの異常確認システムを含むエレベータの全体構成を示す図である。
【図２】図１に含まれるメンテナンスコンピュータの表示部に表示される保守用画面を示す図である。
【図３】図２に含まれる異常時のカメラ画像ボタンを選択した際に表示される画面を示す図である。
【図４】図３に含まれる領域Ａの画像ボタンを選択した際に表示される開閉扉が全開した状態における撮影画像を示す図である。
【図５】図３に含まれる領域Ａの画像ボタンを選択した際に利用者が開閉扉を押さえる様子が映された撮影画像を示す図である。
【図６】本発明の変形例であるエレベータ乗りかごの異常確認システムに含まれるトレースデータ表示画面を示す図である。
【発明を実施するための形態】
【００１２】
以下に、本発明に係る実施形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１３】
図１は、本発明に係る実施の形態であるエレベータ乗りかごの異常確認システム３０を含むエレベータ１０の全体構成を示す図である。エレベータ１０は、巻上機１２、乗りかご１４、主ロープ１５、乗り場扉２６、および、エレベータ乗りかごの異常確認システム３０を備えている。巻上機１２は、図示した実施形態では、昇降路Ｓの直上の機械室Ｍに設置されており、主ロープ１５を介して乗りかご１４およびカウンタ錘（不図示）を相対的に昇降させる。
【００１４】
乗りかご１４は、人または荷物を載せて昇降する機能を有し、開閉扉１６、操作パネル１８、秤ユニット２４を備えている。この開閉扉１６は、左右方向にスライドする左右両開き方式の扉であり、各階の乗り場１３に設置された乗り場扉２６と対向する乗りかご１４の前面側に配置されている。開閉扉１６には、左右両方の扉にセーフティシュー１６ａがそれぞれ設けられている。このセーフティシュー１６ａは、上下方向に長い長尺の部材であり、図示しないアームによって戸閉め動作の際に左右両方の扉に先行して戸閉め方向にせり出して荷物等の障害物が開閉扉１６に直接接触しないようにしている。そして、セーフティシュー１６ａが障害物を検知すると、開閉扉１６の左右の扉は戸閉め方向から戸開方向へ反転してスライドして一旦開くように構成されている。これにより、開閉扉１６が荷物等を挟み込むことを防止している。
【００１５】
開閉扉１６は、乗りかご１４の天井部分に設けられた開閉装置１６ｂによって開閉される。この開閉装置１６ｂには、戸閉め動作の動作不良を検知するリレースイッチ等で構成された開閉異常検知部１６ｃが内蔵されている。この開閉異常検知部１６ｃは、予め設定された時間よりも長く戸開状態が継続した場合に異常信号を制御部３４に送信する。
【００１６】
操作パネル１８は、行き先階釦１８ａ、ドア開閉釦１８ｂ、乗りかご１４の位置を表示するインジケータ１８ｃ、および、インターホン１８ｄを有している。操作パネル１８は、行き先階釦１８ａおよびドア開閉釦１８ｂの動作不良を検知する釦異常検知部１８ｅを有している。この釦異常検知部１８ｅは、行き先階釦１８ａおよびドア開閉釦１８ｂが押された状態が規定時間よりも長く継続した場合に異常信号を制御部３４に送信する。
【００１７】
秤ユニット２４は、乗りかご１４の天井に設置されており、例えば、シャックルロッドの変位から荷重を検出し、あるいは乗りかご１４の床下に設けた弾性体の撓み量から荷重を検出するように構成されている。秤ユニット２４は、例えば、過積載を検知する秤異常検知部としての機能も有している。
【００１８】
乗り場扉２６は各階の乗り場１３の建屋壁面に設けられ、乗り場扉２６に隣接する位置には乗りかご１４の呼び釦２６ａを有する乗り場操作盤２６ｂが設置されている。
【００１９】
エレベータ乗りかごの異常確認システム３０は、乗りかご１４の内部を撮影する監視カメラ３２、巻上機１２の運転を制御する制御部３４、制御部３４に接続されたメンテナンスコンピュータ３６を備えている。本実施形態では、メンテナンスコンピュータ３６の表示部３６ａが本発明の表示部に相当する。監視カメラ３２は、天井付近に設置されており乗りかご１４の開閉扉１６の付近を撮影するように設定されている。
【００２０】
制御部３４は、機械室Ｍに設置されており、巻上機１２等の運転を制御するとともに各階の乗り場１３に設けられた呼び釦２６ａや乗りかご１４の操作パネル１８からの操作入力等に基づき、エレベータ１０を構成する各要素の動作を統一的に制御する。制御部３４は、各種の制御プログラムや種々のデータを記憶する記憶部３４ａを有している。この記憶部３４ａに記憶されるデータには監視カメラ３２の撮影画像Ｒが含まれ、制御部３４は撮影から所定期間が経過した記憶済みの撮影画像Ｒを新たに撮影した撮影画像Ｒで上書きして記憶部３４ａに記憶させている。本実施形態では、上記所定期間は２週間に設定されているが、設計仕様等に応じて適宜設定すればよい。これにより、記憶容量の増大を抑制することができる。本実施形態では、撮影から所定期間が経過した撮影画像Ｒを上書きすることによって新しい撮影画像Ｒを記憶部３４ａに記憶させる例を挙げているが、記憶容量に問題がないのであれば新しい撮影画像Ｒによって記憶済みの撮影画像Ｒを上書きさせなくともよい。
【００２１】
制御部３４は、乗りかご１４の昇降の有無、開閉扉１６の開閉状態、呼び釦２６ａの操作有無等のエレベータ１０の運転状況に関するデータを常時受信しており、開閉異常検知部１６ｃ、釦異常検知部１８ｅおよび秤ユニット２４が異常を検知した日時における上記データを事後的に確認できるように記憶部３４ａにトレースデータとして記憶させる。制御部３４は、メンテナンスコンピュータ３６からの操作入力に基づいて上記のトレースデータ等を表示部３６ａに表示させる。これにより、保守点検時に異常検知時のエレベータ１０の運行状況を確認して故障有無の判断等を行い易くしている。
【００２２】
続いて、図２を用いて保守点検時におけるトレースデータを用いたエレベータ乗りかごの異常確認方法について説明する。図２は、メンテナンスコンピュータ３６を制御部３４に接続した際に表示部３６ａに表示される保守用画面３８を示したものである。
【００２３】
保守用画面３８には、トレースデータボタン４０，４２、および、故障履歴ボタン４４が表示されている。トレースデータボタン４０は、操作パネル１８の釦異常検知部１８ｅおよび秤ユニット２４が異常を検知したときのトレースデータを一覧表示させるためのボタンである。一方、トレースデータボタン４２は、開閉扉１６の開閉異常検知部１６ｃが異常を検知したときの乗りかご１４のトレースデータを一覧表示させるものである。
【００２４】
故障履歴ボタン４４は、開閉異常検知部１６ｃ、釦異常検知部１８ｅ、秤ユニット２４およびエレベータ１０の各要素から受信する信号等の情報に基づいて制御部３４が故障の発生を検出した場合に、その故障発生日時と故障箇所を一覧表示させるものである。本実施形態では、異常検知時の撮影画像Ｒを確認する例を挙げているが、例えば、直ちに点検が必要な故障を検出したときに撮影画像Ｒを確認することによって故障時の状況を確認できるようにしてもよい。この場合には、故障原因の特定作業に撮影画像Ｒを用いることができ、故障原因の究明に有益である。
【００２５】
また、保守用画面３８には、点検ボタン４６，４８および異常時のカメラ画像ボタン５０も表示されている。この点検ボタン４６は、エレベータ１０の遠隔監視を行う情報センターに異常を伝達する発報信号を発信した日時と発報原因とを示すデータを一覧表示させるためのボタンである。この発報信号は、例えば、開閉異常検知部１６ｃから異常信号が規定時間内に所定回数以上発信された場合や、エレベータ１０に故障が発生した場合、その他、乗りかご１４の中に利用客が閉じ込められる等、予め設定されている発報条件を満たしたときに制御部３４から発報される。これにより、緊急性の高い故障等の情報が情報センターに伝達され、迅速に故障あるいは事故時の保守点検作業を行うことができるようにしている。
【００２６】
点検ボタン４８は、開閉異常検知部１６ｃ，釦異常検知部１８ｅおよび秤ユニット２４が異常を検知したものの中で制御部３４から情報センターに発報信号が送信されていない場合の異常信号の受信日時および異常発生個所を表示させるものである。これにより、上記の点検ボタン４６によって表示される緊急性が高いため直ちに保守対応が行われる故障等の情報とは別に、比較的緊急性の低い軽度の異常についても定期的な保守点検時等に簡便に確認できるようにしている。
【００２７】
従来、保守点検時には、この点検ボタン４８を選択して表示される異常信号の受信日時および異常発生箇所を基に上記のトレースデータボタン４０，４２を選択して表示されるトレースデータの中から日時が一致するものを確認して故障有無等が判断されていた。一方で、これらの異常信号の発生原因には、利用者の人為的動作、例えば、台車や荷物によって開閉扉１６の戸閉め動作が阻害されたために発生したものや、操作パネル１８のドア開閉釦１８ｂが利用者によって長押しされたために発生したもの等、機械的故障に起因しないものも多く含まれている。しかしながら、上記従来のトレースデータに基づいた故障有無の確認方法では、人為的動作に起因する異常信号であるか否かの判断が困難な場合が多く、機械的故障が起こっていることを前提として異常発生箇所の点検作業を行う必要があり手間を要していた。
【００２８】
そこで、本発明に係るエレベータ乗りかごの異常確認システム３０では、制御部３４は、開閉異常検知部１６ｃ、釦異常検知部１８ｅおよび秤ユニット２４が異常を検知したときに、その検知時点を基準として時間的に３０秒遡った時点から検知時点から３０秒経過するまでの１分間に亘る所定時間幅の撮影画像Ｒに対する上書きを禁止する。そして、制御部３４は、図２に示す異常時のカメラ画像ボタン５０が選択されたときに撮影画像Ｒを表示部３６ａに表示させる。これにより、異常検知前後の１分間にわたる乗りかご１４の内部の様子を保守点検時に確認することができる。本実施形態では、撮影画像Ｒとして、異常検知時点より３０秒遡った時点の撮影画像Ｒを残す例を挙げているが、異常検知時点以後の撮影画像Ｒのみを残すようにしてもよい。また、上記所定時間幅は、設計仕様等に応じて適宜設定すればよい。また、撮影画像Ｒは動画像でも静止画像でもよい。
【００２９】
本実施形態では、異常を検知したときに撮影画像Ｒに対する上書きを禁止する例を挙げているが、この上書きを禁止する撮影画像Ｒは点検ボタン４６を選択した際に表示される緊急性の高い画像だけとしてもよいし、点検ボタン４８を選択した際に表示される軽度の異常検知時の画像だけとしてもよいし、点検ボタン４６，４８を選択した際にそれぞれ表示される全ての画像としてもよい。
【００３０】
図３は、図２に示す異常時のカメラ画像ボタン５０を選択した際に表示される確認用画面５２である。この確認用画面５２では、異常検知日時の欄５４、開閉扉の欄５６ａ、押し釦の欄５６ｂ、秤の欄５６ｃ、カメラの欄５８が左から順に表示されている。異常検知日時の欄５４には、開閉異常検知部１６ｃ、釦異常検知部１８ｅおよび秤ユニット２４からの異常信号の受信日時が表示される。開閉扉の欄５６ａ、押し釦の欄５６ｂ、および、秤の欄５６ｃは、それぞれ開閉扉１６、操作パネル１８、秤ユニット２４を示しており、上記異常信号の発信元である場合にチェックマークが表示される。カメラの欄５８には画像ボタン５８ａが表示され、この画像ボタン５８ａを選択することによって撮影画像Ｒが表示される。例えば、領域Ａには、異常検知日時が「２０１４年９月１０日１０：００」と表示され、「開閉扉」にチェックマークが表示されていることから異常検知箇所が開閉扉１６であることが示されている。そして、カメラの欄５８には画像ボタン５８ａが表示されており、この画像ボタン５８ａを選択することによって上記の撮影画像Ｒが表示される。
【００３１】
図４および図５は、図３に示す領域Ａの画像ボタン５８ａを選択した際に表示される撮影画像Ｒの例をそれぞれ示すものである。
【００３２】
図４に示すように、撮影画像Ｒに人影が写っていない場合には、異常検知の原因が何らかの機械的な動作不良に起因するものと考えられるため開閉扉１６の点検作業が行われる。一方、図５に示すように、撮影画像Ｒに開閉扉１６を手で押さえている利用者が映っているような場合には、人為的動作に起因する異常信号であると考えられるため開閉扉１６の点検作業は行わない。
【００３３】
同様に、釦異常検知部１８ｅが異常を検知した場合には、異常検知時の撮影画像Ｒに操作パネル１８の各釦１８ａ，１８ｂを利用者が長押しする様子が映っているか否かによって人為的動作に起因する異常であるか否かを判断することができる。また、秤ユニット２４が過積載による異常を検知した場合には、秤ユニット２４が過積載を検知したときの撮影画像Ｒに乗りかご１４の定員を超える利用者が映っているか否かによって人為的動作に起因する異常であるか否かを判断することができる。
【００３４】
このようにして、保守時に異常検知時の監視カメラ３２の撮影画像Ｒを表示させて乗りかご１４の内部の様子を確認することができるため異常検知の原因が人為的動作によるものであるか否かの判断が行い易く、保守点検作業の手間を省くことができる。
【００３５】
図６は、本発明の実施形態における変形例であるエレベータ乗りかごの異常確認システム３０に含まれるトレースデータ表示画面６２を示すものである。以下の説明において、上記実施形態におけるエレベータ乗りかごの異常確認システム３０と構成が異なる部分についてのみ説明を行い、共通する部分については説明を省略する。
【００３６】
エレベータ乗りかごの異常確認システム３０では、図２に示す保守用画面３８のトレースデータボタン４２を選択した際に、図６に示すトレースデータ表示画面６２が表示部３６ａに表示される。このトレースデータ表示画面６２では、領域Ｂに示すように、異常検知日時の欄６４、乗りかごの欄６６ａ、開閉扉の欄６６ｂ、かご呼びの欄６６ｃ、乗り場呼びの欄６６ｄ、カメラの欄６８が左から順に表示されている。異常検知日時の欄６４には、開閉扉１６の開閉異常検知部１６ｃからの異常信号の受信日時が表示される。乗りかごの欄６６ａには、乗りかご１４の運転状態が表示される。開閉扉の欄６６ｂには、開閉扉１６の開閉状態が表示される。かご呼びの欄６６ｃには、乗りかご１４の行き先階釦１８ａおよびドア開閉釦１８ｂの操作有無が表示される。乗り場呼びの欄６６ｄには、乗り場１３の呼び釦２６ａの操作有無が表示される。カメラの欄６８には画像ボタン６８ａが表示されており、この画像ボタン６８ａを選択することによって監視カメラ３２の撮影画像Ｒを表示させることができる。このように、異常検知時のトレースデータと撮影画像Ｒを関連付けて表示させることによって、故障有無の判断をより行い易くすることができる。
【００３７】
なお、本発明に係るエレベータ乗りかごの異常確認システムは、上述した実施形態およびその変形例の構成に限定されるものではなく、本願の特許請求の範囲に記載された事項およびその均等の範囲内で種々の改良や変更が可能であることはいうまでもない。
【符号の説明】
【００３８】
１０  エレベータ、１４  乗りかご、１６ｃ  開閉異常検知部、１８ｅ  釦異常検知部、２４  秤ユニット、３０  エレベータ乗りかごの異常確認システム、３２  監視カメラ、３４  制御部、３４ａ  記憶部、３６  メンテナンスコンピュータ、３６ａ  表示部、Ｍ  機械室、Ｓ  昇降路、Ｒ  撮影画像。
【図１】
0006400497.tif 000002
【図２】
0006400497.tif 000003
【図３】
0006400497.tif 000004
【図４】
0006400497.tif 000005
【図５】
0006400497.tif 000006
【図６】
0006400497.tif 000007